(57)【要約】      （修正有）【課題】書き手に負担を強いることなく大寸法の紙幅に揮毫することができる書画制作のための補助装置を提供する。【解決手段】書画用紙を載せる長方形のパネル１と、このパネル上方に空間をおいて位置させ、且つパネルの短径方向に跨って設けられた移動台２と、この移動台の裏面に設けられたキャスター６と、移動台の裏面に設けられると共にパネルの長径方向の側縁に摺接される案内突条７と、移動台の上面に着脱自在に載置し、左右に移動できる座台３とから構成される。【選択図】図２
2011056150.tif 000002
【特許請求の範囲】
【請求項１】
本発明の書画制作補助装置は書画用紙を載せる長方形のパネルと、このパネル上方に空間をおいて位置させ、且つパネルの短径方向に跨って設けられた移動台と、この移動台の裏面に設けられたキャスターと、前記移動台の裏面に設けられると共に前記パネルの長径方向の側縁に摺接される案内突条と、前記移動台の上面に着脱自在に載置し、左右に移動できる座台と、から構成したことを特徴とする書画制作補助装置。
【請求項２】
前記移動台は、前記パネルの短径方向の横幅よりも外方に延設して書画道具を載置する載置領域を形成したことを特徴とする請求項１に記載の書画制作補助装置。
【請求項３】
前記座台は、前記移動台の前縁に当接し移動台との位置関係を決定するための当接片を、その前方縁に設け、さらに奥行き寸法を前記移動台の奥行き寸法より小さくした事を特徴とする請求項１または２に記載の書画制作補助装置。
【請求項４】
複数の小パネルを形成し、この複数の小パネルを着脱自在に嵌合して前記パネルを構成したことを特徴とする請求項１ないし３のいずれかに記載の書画制作補助装置。
【発明の詳細な説明】
【技術分野】
【０００１】
本発明は、条幅等の揮毫に関する書画制作補助装置に関するものである。
【背景技術】
【０００２】
条幅（半切）を揮毫する場合、用紙が縦に長いので、一字毎に体位を上方から下方へ移動せねばならなかった。正しい位置で書けるように体位を移動させるには、現状では身体的な移動以外に方法はなかった。書き手の位置場所が合ってないと運筆が正しく進まなかった。以下の非特許文献１及び２に見るように、従来の書道界の状態を的確に表現しているように、方法として身体的動作以外は、揮毫に対する補助装置が無かった。
【先行技術文献】
【特許文献】
【０００３】
【特許文献１】実開平６−５２６１７号公報
【非特許文献】
【０００４】
【非特許文献１】尾崎邑鵬著  条幅入門（二玄社発行）１３頁写真掲載
【非特許文献２】富田翠江著  現代書道講座テキスト
【発明の概要】
【発明が解決しようとする課題】
【０００５】
従来に行われてきた書道の書き方として、条幅を揮毫する場合、縦長用紙を使用するので、揮毫する筆の起筆位置を確保するために、体位を上方から下方へ移動する必要があります。ここで重要なことは揮毫する文字が、正しい位置で書けるように体位を移動する事ですが、正しい場所位置が確保出来ないと運筆が正常に進みません。非特許文献１及び２に示す通り、今迄の書道界は原始的に姿勢を無理に変える所作以外、揮毫手段がなかった。
【０００６】
その現状として以下に示す状態がある。
（イ）立って書く場合
机の上に毛氈を敷き用紙を載せて書く場合、書いた文字を机の前に垂らしながら書くので、垂らした文字が見えなくなり見通しが利かず、全体を見てバランスの判断が出来ない。
（ロ）中腰で書く場合
毛氈を下に敷き、用紙を跨いで書くために中腰で書くことになる。その為に用紙までの距離が離れすぎて、紙面から筆先までの距離が遠くなりすぎる。
（ハ）座って書く場合
この姿勢は左手を毛氈上に置き、一字毎に正位置に移動する。しかし用紙上に乗ったままの状態で移動するので、紙面の汚れや破損の恐れがある。（いずれも特許文献１より引用）。
（ニ）用紙を巻いて書く場合
書く前に下方から巻き上げ、巻き戻しながら書く。この場合は複数行にわたる作品には墨の乾燥まで再度巻き上げられない。（特許文献２より引用）。       
【０００７】
上記引用文が、従来の揮毫状態を良く説明している。これらの肉体的、物理的条件を解決する手段として、長年書道界に存在しなかった書道用具として書画制作補助装置を提供する。
【課題を解決するための手段】
【０００８】
本発明の書画制作補助装置は、書画用紙を載せる長方形のパネルと、このパネル上方に空間をおいて位置させ、且つパネルの短径方向に跨って設けられた移動台と、この移動台の裏面に設けられたキャスターと、前記移動台の裏面に設けられると共に前記パネルの長径方向の側縁に摺接される案内突条と、前記移動台の上面に着脱自在に載置し、かつ左右に移動できる座台と、から構成したことを特徴とする。
【０００９】
また本発明の移動台は、パネルの短径方向の横幅よりも外方に延設して書画道具を載置する載置領域を形成したことを特徴とする。
【００１０】
本発明の座台は、移動台の前縁に当接し、移動台との位置関係を決定するための当接片を、その前方縁に設け、さらに奥行き寸法を移動台の奥行き寸法より小さくした事を特徴とする。
【００１１】
本発明の書画制作補助装置は複数の小パネルを形成し、この複数の小パネルを着脱自在に嵌合してパネルを構成したことを特徴とする。
【発明の効果】
【００１２】
非特許文献に示された引用文のように、従来は立ち姿勢で腰や膝を曲げて書くことや、膝付き状態で書くことを強いられてきた。本発明の書画制作補助装置を活用して揮毫することで、身体的動作に無理が無く、キャスター付き移動台で前後移動できる。しかも座台が左右に移動できることで、常に起筆が体の中心から置筆できる事と、座台に座った状態で移動台を手漕ぎで前後移動できる。
【００１３】
（ア）基本的な揮毫姿勢として、正座、膝付、跨りが有るが肉体的条件によって都度使い分けが可能である。
【００１４】
（イ）  パネル上に空間を取って、キャスター付き移動台をセットした事で、前後移動でき、その上に左右移動座台をセットした事で、起筆の中心置に移動できる。              
【００１５】
（ウ）書画道具載置領域にセットした硯、筆置きがその場に座ったままの状態で使用できる。
【００１６】
（エ）一字毎に座台を前後移動させ、視覚の真上で起筆できる位置が確保できる。
【００１７】
（オ）用紙の左片隅に落款揮毫する時に、左右移動座台を左に寄せ、図７に見るように視覚的に起筆を真上にして揮毫できる。
【００１８】
（カ）座台の奥行きが小さくしてある事は、正座した時の足首に無理がないように、敷いたクッション上で正座し、図６の１０aに示す踝から先に起こる痛みを無くす為、段差に落とし圧痛を防止している。
【図面の簡単な説明】
【００１９】
【図１】書画制作補助装置の斜視図である。
【図２】書画制作補助装置の前面図である。
【図３】書画制作補助装置の側面図である。
【図４】書画制作補助装置の座台の左方移動図である。
【図５】書画制作補助装置の他の実施形態図で第２の座台９を追加した図である。
【図６】書画制作補助装置の使用状態図である。
【図７】書画制作補助装置の落款位置に移動した使用状態図である。
【図８】書画制作補助装置の図５の使用状態図である。
【発明を実施するための形態】
【００２０】
本発明を図１から図４に基づいて以下説明する。木製で六ッ割り突条を骨組みにし
ベニヤを表裏に張って重量を軽くしたパネル１で、サイズは約幅４５ｃｍ×縦１８０ｃｍの中間サイズ９０ｃｍで、２分され差し込み嵌合８出来る。
移動台２は木製で六ッ割り突条を骨組みにして、ベニヤを表裏に張り、約幅９０ｃｍ×縦４５ｃｍ×厚さ３ｃｍ大きさに形成してある。
【００２１】
この移動台２の裏面の４隅にキャスター６を取り付け、このキャスター６により移動台２を直線的に前後移動するものである。
【００２２】
移動台２の裏面には、パネル１の長径方向の両側縁に摺接される木製の案内突条７
を取り付けてある。
【００２３】
移動台２はパネル１の短径方向の横幅より外方に延設して、書画道具を載置する載置領域５を形成したことと、左外方にも延置させた事により座台３も左移動でき、起筆に要する位置が確保できる。
【００２４】
座台３は、木製で約３ｃｍ×７ｃｍの骨組み板で約幅４５ｃｍ×縦３０ｃｍ高さ７ｃｍに、片面ベニヤを張った左右に移動するようにしてあり、移動台２の前縁に当接し、移動台との位置関係を決定するための当接片１５を座台３の前方に設けてある。
【００２５】
さらに座台３の奥行き寸法を移動台２の奥行きより小さくた事は、クッション４上に正座した時の足に痛みが生じないように、踝から先を段差図６の１０ａに落とし、圧痛を防止して起筆位置を決める。
【００２６】
クッション４は、スポンジ製で厚さ約１ｃｍ×５０ｃｍ四方で作られ、左右移動の座台３の上に敷き、足首や踝への圧痛を防止する。
【００２７】
書画道具載置領域５には硯とか筆とかを載置する場所で、座台３に座った状態のまま、移動することなく、硯から筆に墨付けが出来る。
【００２８】
座台３の小さい奥行き寸法は、クッション４上に正座した時の足首に痛みが生じないように、踝から先を段差１０ａに落として圧痛を防止する。
【００２９】
パネル１の寸法が長いため、中心で２分割にし、分割部分は嵌め込み嵌合８できる。
【００３０】
紙面の左側で揮毫する時は、図７に示すように座台３を左方に移動し、正座した体位も左に寄せて起筆する。その時、右膝頭を枕として活用し沈腕法も使用できる。
【００３１】
図５は他の実施形態を示す図で、直接尻を着いて、パネル１を跨いだ姿勢で揮毫する方法で、座台が一台では低く二倍の高さを必要とする。左右移動座台３の上にこの座台３と同等の第２の座台９を付属追加したものである。その敷いた二重の座台で、揮毫する事により身体的苦痛もなく運筆がスムーズに進む。同時に右太腿が、筆を持つ右手肘の枕となるので沈腕法が活用できる。
【００３２】
次に本発明の書画制作補助装置の使用状態を説明する。
【００３３】
図６に示すように足首に痛みがないように、クッション４上に正座し、踝から先を段差１０ａに落として、足の甲の圧痛を防止している実施図である。
【００３４】
落款用の揮毫を左片隅で行う時、図７で示すように座台３も体位も左に移動し、視覚的に起筆を真上にして揮毫している実施図である。
【００３５】
図８は座台３の上に第２の座台９を重ねて、その上に直接尻を着いて、パネル１を
跨いだ姿勢で揮毫している実施図である。
【符号の説明】
【００３６】
１  パネル
２  移動台
３  座台
４  クッション
５  書画道具載置領域
６  キャスター
７  摺接案内突条
８  着脱自在の嵌合箇所
９  第２の座台
１０  座台３に正座して足首を落とす段差
１１  書画道具
１２  書画用紙
１３  文鎮
１４  毛氈
１５  当接片
【図１】
2011056150.tif 000003
【図２】
2011056150.tif 000004
【図３】
2011056150.tif 000005
【図４】
2011056150.tif 000006
【図５】
2011056150.tif 000007
【図６】
2011056150.tif 000008
【図７】
2011056150.tif 000009
【図８】
2011056150.tif 000010
【手続補正書】
【提出日】平成21年12月21日(2009.12.21)
【手続補正１】
【補正対象書類名】特許請求の範囲
【補正対象項目名】全文
【補正方法】変更
【補正の内容】
【特許請求の範囲】
【請求項１】
書画用紙を載せる長方形のパネルと、このパネル上方に空間をおいて位置させ、且つパネルの短径方向に跨って設けられた移動台と、この移動台の裏面に設けられたキャスターと、前記移動台の裏面に設けられると共に前記パネルの長径方向の側縁に摺接される案内突条と、前記移動台の上面に着脱自在に載置し、かつ左右に移動できる座台と、から構成し、前記移動台は、前記パネルの短径方向の横幅よりも外方に延設して書画道具を載置する載置領域を形成し、前記移動台は、前記移動台の前縁に当接し移動台との位置関係を決定するための当接片を、その前方縁に設け、さらに奥行き寸方を前記移動台の奥行き寸法より小さくしたことを特徴とする書画制作補助装置。
【手続補正２】
【補正対象書類名】明細書
【補正対象項目名】０００８
【補正方法】変更
【補正の内容】
【０００８】    本発明の書画制作補助装置は、書画用紙を載せる長方形のパネルと、このパネル上方に空間をおいて位置させ、且つパネルの短径方向に跨って設けられた移動台と、この移動台の裏面に設けられたキャスターと、前記移動台の裏面に設けられると共に前記パネルの長径方向の側縁に摺説される案内突条と、前記移動台の上面に着脱自在に載置し、かつ左右に移動できる座台と、から構成し、  前記移動台は、前記パネルの短径方向の横幅よりも外方に延設して書画道具を載置する載置領域を形成し、前記移動台は、前記移動台の前縁に当接し移動台との位置関係を決定するための当接片を、その前方縁に設け、さらに奥行き寸方を前記移動台の奥行き寸法より小さくしたことを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１１
【補正方法】削除
【補正の内容】
【手続補正書】
【提出日】平成22年4月12日(2010.4.12)
【手続補正１】
【補正対象書類名】特許請求の範囲
【補正対象項目名】全文
【補正方法】変更
【補正の内容】
【特許請求の範囲】
【請求項１】
書画用紙を載せる長方形のパネル（１）と、このパネル上方に空間をおいて位置させ、且つパネル（１）の短径方向に跨って設けられた移動台（２）と、この移動台の裏面に設けられたキャスター（６）と、前記移動台（２）の裏面に設けられると共に前記パネル（１）の長径方向の側縁に摺接される案内突条（７）と、前記移動台（２）の上面に着脱自在に載置し、かつ左右に移動できる座台（３）と、から構成し、前記座台（３）は、前記移動台（２）の前縁に当接し移動台（２）との位置関係を決定するための当接片（１５）を、この座台（３）の前方縁に設け、さらに座台（３）の奥行き寸方を前記移動台（２）の奥行き寸法より小さくしたことを特徴とする書画制作補助装置。
【手続補正２】
【補正対象書類名】明細書
【補正対象項目名】０００８
【補正方法】変更
【補正の内容】
【０００８】  本発明の書画制作補助装置は、書画用紙を載せる長方形のパネル（１）と、このパネル上方に空間をおいて位置させ、且つパネル（１）の短径方向に跨って設けられた移動台（２）と、この移動台の裏面に設けられたキャスター（６）と、前記移動台（２）の裏面に設けられると共に前記パネル（１）の長径方向の側縁に摺接される案内突条（７）と、前記移動台（２）の上面に着脱自在に載置し、かつ左右に移動できる座台（３）と、から構成し、前記座台（３）は、前記移動台（２）の前縁に当接し移動台（２）との位置関係を決定するための当接片（１５）を、この座台（３）の前方縁に設け、さらに座台（３）の奥行き寸方を前記移動台（２）の奥行き寸法より小さくした事を特徴とした書画制作補助装置。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】